(57)【要約】記録媒体（２）からデータを読み取る方法であって、前記記録媒体の第１の所定の記憶場所から暗号化データの第１集合（３Ａ）を読み取る段階と、前記記録媒体の第２の所定の記憶場所から暗号化データの第２集合（３Ｂ）を読み取る段階と、暗号化データの第１集合（３Ａ）と暗号化データの第２集合（３Ｂ）との間の所定の相関性を検出する段階と、前記所定の相関性が妥当である場合にのみデータを出力し、そうでない場合は、データ出力を阻止する段階とを有する方法について開示している。
2007511864.tif 000002
【特許請求の範囲】
【請求項１】
記録媒体からデータを読み取る方法であって：
前記記録媒体の第１の所定の記憶場所から暗号化データの第１集合を読み取る段階；
前記記録媒体の第２の所定の記憶場所から暗号化データの第２集合を読み取る段階；
暗号化データの第１集合と暗号化データの第２集合との間の所定の相関性を検出する段階；及び
前記所定の相関性が妥当である場合にのみデータを出力し、そうでない場合には、データ出力を阻止する段階；
を有することを特徴とする方法。
【請求項２】
請求項１に記載の方法であって、前記所定の相関性は所定の時間関係を有する、ことを特徴とする方法。
【請求項３】
請求項２に記載の方法であって、前記所定の時間関係は、前記の暗号化データの第１集合及び前記の暗号化データの第２集合が実質的に同時に検出される必要がある、ことを特徴とする方法。
【請求項４】
請求項３に記載の方法であって、前記の暗号化データの第１集合を読み取る段階及び前記の暗号化データの第２集合を読み取る段階は実質的に同時に実行される、ことを特徴とする方法。
【請求項５】
請求項１に記載の方法であって、前記の暗号化データの第１集合を読み取る段階及び前記の暗号化データの第２集合を読み取る段階は２つの別個のピックアップユニットにより実行される、ことを特徴とする方法。
【請求項６】
記録媒体であって、所定の記憶場所に記憶された所定の暗号化コピー保護データの少なくとも２つの集合を有する記憶空間を有する、ことを特徴とする記録媒体。
【請求項７】
請求項６に記載の記録媒体であって、前記記録媒体は、少なくとも２つの記憶層を有する光記録媒体、特に光ディスクであり、前記の所定の暗号化コピー保護データの少なくとも２つの集合箱となる記憶層に位置付けられている、ことを特徴とする記録媒体。
【請求項８】
ディスクドライブ装置であって：
記録媒体からデータを読み取り且つ第１読み取り信号を生成するための第１ピックアップユニット；
記録媒体からデータを読み取り且つ第２読み取り信号を生成するための第２ピックアップユニット；
前記第１ピックアップユニットの出力と直列に結合されている第１制御可能スイッチ；
前記第２ピックアップユニットの出力と直列に結合されている第２制御可能スイッチ；
前記第１及び第２ピックアップユニットそれぞれの前記出力に結合されている第１及び第２データ入力を有し、そして前記第１及び第２制御可能スイッチそれぞれの制御入力に結合されている制御出力を有するデータフロー制御可能ユニット；
を有するディスクドライブ装置であり、
前記データフロー制御可能ユニットは、それらの２つのデータ入力において受信されるデータのコンテンツに応じて、前記第１及び第２制御可能スイッチのための制御信号を生成するようにデザインされている；
ことを特徴とするディスクドライブ装置。
【請求項９】
請求項８に記載のディスクドライブ装置であって、前記データフロー制御可能ユニットは、前記データフロー制御可能ユニットが所定の相関性を満たしている暗号化データの所定の第１集合及び暗号化データの所定の第２集合を受信する場合、開状態に前記第１及び第２制御可能スイッチを切り換え、そうでない場合、閉状態に前記第１及び第２制御可能スイッチを切り換えるようにデザインされている、ことを特徴とするディスクドライブ装置。
【請求項１０】
請求項９に記載のディスクドライブ装置であって、前記所定の相関性は所定の時間関係を有する、ことを特徴とするディスクドライブ装置。
【請求項１１】
請求項１０に記載のディスクドライブ装置であって、前記所定の時間関係は、前記の暗号化データの第１集合及び前記の暗号化データの第２集合が実質的に同時に検出される必要がある、ことを特徴とするディスクドライブ装置。
【請求項１２】
請求項８に記載のディスクドライブ装置であって、前記ピックアップユニットと関連するアクチュエータを制御するための制御器を有する、ディスクドライブ装置であり、前記制御器は、前記の暗号化データの第１集合及び前記の暗号化データの第２集合を実質的に同時に読み取るように前記記録媒体の所定の第１及び第２記憶場所に実質的に同時に前記ピックアップユニットを移動させるように前記アクチュエータを制御するようにデザインされている、ことを特徴とするディスクドライブ装置。
【請求項１３】
請求項８に記載のディスクドライブ装置であって、光ディスクドライブ装置である、ことを特徴とするディスクドライブ装置。
【請求項１４】
コピー保護システムであって：
請求項６に記載の記録媒体；及び
請求項８に記載のディスクドライブ装置；
を有することを特徴とするコピー保護システム。
【発明の詳細な説明】
【技術分野】
【０００１】
本発明は、一般に、記録担体、特に、光ディスク、磁気ディスク、光磁気ディスク等のディスク形状の担体にデータを記録する分野に関する。以下、本発明において、特に光ディスクの場合について説明するが、光ディスクの発明の範囲に限定するように意図するものではないことを特に記しておく。
【背景技術】
【０００２】
光ディスク、例えば、ＣＤ、ＤＶＤが、例えば、コンピュータデータ、コンピュータプログラム、音楽、映像等の種々の種類のデータをディジタル的に記憶するために用いられる。ユーザがユーザ自身のデータを記憶することを可能にする光ディスクが開発されてきたが、ディスクの製造プロセス中にディスクに適用された予め記録されたデータを有する光ディスクが又、製造されている。代表的には、記憶される情報の点から、そのようなディスクは比較的高価であり、特に、ディジタルコピーの品質がオリジナルの品質と同程度であるため、そのようなディスクの一部又は全部を他のディスクにコピーする傾向にある。明らかに、コンピュータプログラム、音楽等の著者及びベンダーは、そのようなコピーがなされた場合、利益を損ない、それ故、コピー防止システム、即ち、他のディスクにコピーされることからディスクに記録されている情報を保護するためのシステムに対する要請が存在している。他方、そのようなシステムは、オリジナルの記録の再生が影響されないようになっている必要がある。
【０００３】
典型的には、当該技術分野におけるコピー保護システムの状況は、再生装置内部で実施される暗号化アルゴリズムを機能させるように、再生中に検索される必要があるディスクに記憶されたある種のコードを有する。一旦、コードが違法ユーザに知られると、違法にディスクのコンテンツのコピーにおいて、暗号化アルゴリズムを回避することが可能になる。実際には、種々の種類の光媒体と光ディスクドライブとの間の相互適合性のために、コピー保護媒体に組み込まれたコードを検索するように修正されたドライブを用いることが可能である。
【発明の開示】
【発明が解決しようとする課題】
【０００４】
それ故、本発明の目的は、著作権情報を検索するために特定の光ディスクを用いる新しいタイプのコピー保護システムを提供することである。専用のドライブがＣＤ／ＤＶＤゲームコンソールにおいて用いられることが可能である一方、コンピュータ周辺機器として用いられるレガシー光学ドライブにおいてディスクを再生することは実際には不可能である。
【問題を解決するための手段】
【０００５】
本発明の重要な特徴に従って、ディスクドライブは、互いに独立して同時に動作することができる少なくとも２つのピックアップユニットを有する。
【０００６】
本発明の他の重要な特徴に従って、ディスクは、ディスクの記憶空間において所定の場所に記憶されている暗号化データの少なくとも２つの集合を有する。特別な場合、ディスクは２つ又はそれ以上の記録層を有する光ディスクであり、暗号化データの一の集合は前記記録層の第１記録層に記録され、暗号化データの他の集合は前記記録層の第２記録層に記録され、前記ピックアップユニットの第１ピックアップユニットは前記記録層の前記第１記録層を読み取るために備えられ、前記ピックアップユニットの第２ピックアップユニットは前記記録層の前記第２記録層を読み取るために備えられている。
【０００７】
本発明の他の重要な特徴に従って、第１ピックアップユニットは前記所定の場所の第１場所におけるデータを読み取るように制御され、同時に、第２ピックアップユニットは前記所定の場所の第２場所におけるデータを読み取るように制御される。ディスクがオリジナルの記録を有する場合、２つのピックアップユニットの出力信号は、前記の暗号化データの２つの集合を同時に有する。
【０００８】
本発明の他の重要な特徴に従って、ディスクドライブの信号処理回路は、両方のピックアップユニットのデータ出力を受信するデータフロー制御器ユニットを有する。前記の暗号化データの２つの集合が両方のデータフローにおいて実質的に同時に読み取られる場合、データフロー制御器ユニットは両方のデータフローがパスすることを可能にし、そうでなければ、両方のデータフローは阻止される。
【０００９】
それ故、本発明に従って、ディスクの再生又は読み取りは、本発明に従ってデザインされたディスクドライブを用いて、常に可能であり、コピーディスクへ情報のコピーは阻止されない。しかしながら、全体のディスクの全コピーがなされるときでさえ、前記の暗号化データの２つの集合は同じ所定の場所に正確に書き込まれる可能性は非常に少ない。それ故、コピーディスクが再生され、２つのピックアップユニットが前記所定の場所におけるデータを読み取るように制御される場合、前記の暗号化データの２つの集合は同時に読み取られることはなく、データ出力はデータフロー制御器ユニットにより阻止される。
【００１０】
本発明の以上の及び他の特徴、側面及び有利点については、以下、図を参照して詳述することにする。図における同じ参照番号は同一の又は類似する構成部分を示している。
【発明を実施するための最良の形態】
【００１１】
図１は、本発明に従ったコピー保護システム１００を模式的に示している。特に、図１は、光ディスク２であって、代表的にはＤＶＤから情報を読み取るために適切である光ディスクドライブ装置１を模式的に示している。ディスク２を回転させるために、ディスクドライブ装置１はフレーム（簡略化のために図示せず）に固定されたモータ４を有する。
【００１２】
そのディスクドライブ装置１は、ディスクから読み取られる情報を表す読み取り信号ＳＲ１及びＳＲ２それぞれを生成するために、そして光ビームＢであって、代表的にはレーザビームにより、ディスク２のトラック（図示せず）を走査するように各々デザインされた２つの光ピックアップユニット（ＯＰＵ）を更に有する。そのようなＯＰＵ自体は周知である一方、本発明はそのようなＯＰＵのデザイン及び機能に関連しないため、ＯＰＵのデザイン及び機能の詳細説明は省略する。
【００１３】
各々のＯＰＵは、トラックが追従されるような径方向アクチュエータと、対応する走査ビームの適切なフォーカシングを達成し且つ維持するための焦点アクチュエータとを有するアクチュエータシステムＡと一体化されている。そのようなアクチュエータシステム自体は既知である一方、本発明はそのようなアクチュエータシステムのデザイン及び機能に関連しないため、アクチュエータシステムのデザイン及び機能の詳細説明は省略する。
【００１４】
ディスクドライブ装置１は、２つのＯＰＵ１１及び１２から読み取り信号ＳＲ１及びＳＲ２それぞれを受信するように接続された第１データ入力２１及び第２データ入力２２を有する制御回路２０を更に有する。
【００１５】
更に、制御回路２０は、第１ＯＰＵ１１のアクチュエータシステムＡの制御入力に結合された第１制御出力２３と、第２ＯＰＵ１２の制御入力に結合された第２制御出力２４と、モータ４の制御入力に結合された第３制御出力２５とを有する。制御回路９０は、第１ＯＰＵ１１のアクチュエータシステムＡの制御入力１１のアクチュエータシステムＡを制御するための第１制御信号ＳＣＡ１を第１制御出力２３において生成するように、第２ＯＰＵ１２のアクチュエータシステムＡの制御入力１２のアクチュエータシステムＡを制御するための第２制御信号ＳＣＡ２を第２制御出力２４において生成するように、そしてモータ４を制御するための第３制御信号ＳＣＡ３を第３制御出力２５において生成するようにデザインされている。
【００１６】
更に、制御回路２０は第１データ出力２６及び第２データ出力２７を有する。
【００１７】
図２は、制御回路２０の一部の要素を詳細且つ模式的に示すブロック図である。制御回路２０は、データフロー制御器ユニット３０により制御される２つの制御可能スイッチ４１及び４２を有する。第１制御可能スイッチ４１は、制御回路２０の第１入力２１に結合された入力を有し、制御回路２０の第１出力２６に結合された出力を有する。第２制御可能スイッチ４２は、制御回路２０の第２入力２２に結合された入力を有し、制御回路２０の第２出力２７に結合された出力を有する。各々のスイッチは２つの動作状態、即ち、出力が入力に結合された開状態であって、スイッチは入力から出力までの開いたデータ転送経路を与えるようになっている開状態と、出力が入力から接続されていない閉状態であって、スイッチは入力から出力までのデータ転送経路を遮蔽している、閉状態とを有する。それ故、スイッチが開状態にあるとき、対応する読み取り信号は、障害なしにパスされるが、スイッチが閉状態にあるとき、対応する読み取り信号の転送は阻止される。
【００１８】
データフロー制御器ユニット３０は、制御回路２０の第１入力２１に結合された第１入力３１を有し、制御回路２０の第２入力２２に結合された第２入力３２を有する。更に、データフロー制御器ユニット３０は、第１及び第２制御可能スイッチ４１及び４２それぞれの制御入力に結合された第１及び第２制御出力３３及び３４を有する。
【００１９】
ディスク２は、暗号化コピー保護データ３Ａ及び３Ｂの２つの集合を有する。ディスクは１つの情報層のみを有することが可能であり、又は、ディスクは、代替として、２つ又はそれ以上の情報層を有することが可能である。暗号化コピー保護データ３Ａ及び３Ｂの２つの集合は同一の情報層において位置付けられることが可能であるが、マルチレイヤディスクの場合、暗号化コピー保護データ３Ａ及び３Ｂの２つの集合は、好適には、異なる情報層に位置付けられている。何れの場合、暗号化コピー保護データ３Ａ及び３Ｂの２つの集合はディスクにおける所定の場所（アドレス）に記憶される。
【００２０】
コピー保護システム１００の動作について、以下に説明する。
【００２１】
制御回路２０は、ディスク２の妥当性をチェックするようにプログラムされている。これは、初期化手順中の特定の時間において、再生中の通常の時間インターバルにおいて又はそれら両方において行われることが可能である。
【００２２】
妥当性チェック手順において、制御回路２０は、暗号化コピー保護データ３Ａ及び３Ｂの２つの集合を同時に読み取るように２つのＯＰＵ１１を駆動する。特に、第１ＯＰＵ１１は暗号化コピー保護データ３Ａの第１集合の場所を有するトラックに移動され、第２ＯＰＵ１２は暗号化コピー保護データ３Ｂの第２集合の場所を有するトラックに移動される。一旦、両方のＯＰＵが所定の位置に移動すると、データは対応するトラックから読み取られる。
【００２３】
ディスクが妥当なディスク（オリジナルのディスク）である場合、２つの入力３１及び３２それぞれにおける読み取り信号ＳＲ１及びＳＲ２におけるデータストリームは、実質的に同時に、又は、ディスクの回転周期の半分より小さい最大の互いの遅延を少なくとも伴って、暗号化コピー保護データ３Ａ及び３Ｂの２つの集合を有する。それに応じて、データフロー制御器ユニット３０は、閉状態を想定して制御可能スイッチ４１及び４２を制御するために、出力信号ＳＣ１及びＳＣ２それぞれを生成する。
【００２４】
妥当性チェック手順の後、制御回路２０は、再生を継続するように、オリジナルの場所に戻るように２つのＯＰＵ１１及び１２を駆動する。
【００２５】
それ故、オリジナルのディスクの再生は、データ出力信号の中断を伴うことなく継続されるが、データ出力信号は、暗号化情報が適切に処理されることができない１つのＯＰＵを有するレガシー再生装置を用いる場合又は違法コピーの場合、遮断される。
【００２６】
本発明は上記の例示としての実施形態に限定されるものではなく、同時提出の特許請求の範囲に記載された本発明の保護範囲を逸脱することなく、幾つかの変形及び修正が可能であることは当業者には明らかである。
【００２７】
上記で、本発明について、本発明に従った装置の機能ブロックを示すブロック図を参照して説明した。１つ又はそれ以上のそれらの機能ブロックはハードウェアにおいて実行されることが可能であり、それらの機能ブロックの機能は個々のハードウェア構成要素により実行されるが、１つ又はそれ以上のそれらの機能ブロックはソフトウェアにおいて実行されることが可能であり、それ故、それらの機能ブロックの機能は、マイクロプロセッサ、マイクロ制御器、ディジタル信号プロセッサ等のようなコンピュータプログラム又はプログラム可能装置の１つ又はそれ以上のプログラムラインにより実行さえることが可能である。
【図面の簡単な説明】
【００２８】
【図１】コピー保護システムの模式図である。
【図２】制御回路の要素を模式的に示すブロック図である。
【図１】
2007511864.tif 000003
【図２】
2007511864.tif 000004
【国際調査報告】
2007511864.tif 000005
2007511864.tif 000006
2007511864.tif 000007